(57)【要約】【目的】トンネル天井への長尺スパンにおける配管吊下支持であっても地震時の防震性及び耐震性の高い配管吊下支持具を提供する。【構成】配管軸方向の左前方位置・右後方位置から斜めに吊下げられる左前方吊下支持杆・右後方吊下支持杆による２点斜め吊下支持と吊りボルトによる１点吊下支持との合計３点吊下支持構成と成る第一サポート支持構成と、  配管軸方向の左後方位置・右前方位置から斜めに吊下げられる左後方吊下支持杆・右前方吊下支持杆による２点斜め吊下支持と吊りボルトによる１点吊下支持との合計３点吊下支持構成と成る第二サポート支持構成と、  の２種類のサポート支持構成を有する配管吊下支持具を、配管軸方向において交互に吊下配設した構成によって、隣接する配管吊下支持具同士が平面視した際に配管軸方向において対称のサポート支持構成を有する構成。【選択図】        図１
2019074147.tif 000002
【特許請求の範囲】
【請求項１】
配管類を抱持するバンド抱持部と、該バンド抱持部の開放両端部に連設されたバンド端部とを有し、
天井スラブやトンネル天井等の取付面から吊り下げられる吊りボルトに、タンバックルの如き吊下接続部材を介して前記バンド端部を接続して、前記バンド抱持部に抱持した配管を前記取付面に吊下支持する配管吊下支持具であって、
配管すべき略全域に亘って前記取付面から複数本の吊りボルトが所定間隔毎に吊り下げられ、この複数本の吊りボルトの各々に、前記配管吊下支持具が個々に接続されることにより、配管の長尺スパンにおける配管の吊下支持が可能な配管吊下支持具において、
前記配管吊下支持具のバンド抱持部には、配管軸に直交するバンド抱持部の左右の側方部から横方向外側に各々延伸する左係止部・右係止部が設けられ、且つ、これらの左係止部・右係止部には透孔が各々形成された構成であり、
更に、前記配管吊下支持具は、下記構成の（１）第一サポート支持構成を有するものと、（２）第二サポート支持構成を有するものと、の２種類のサポート支持構成を有する配管吊下支持具を、配管軸方向において交互に吊下配設した構成とすることによって、この隣接する配管吊下支持具同士が平面視した際に配管軸方向において対称のサポート支持構成を有する構成であること、を特徴とする配管吊下支持具。
［２種類のサポート支持構成］
（１）第一サポート支持構成
バンド抱持部の左係止部の透孔には、前記取付面であって前記吊りボルトの吊下位置に対して配管軸方向の左前方位置に一端が固定されて斜めに吊下げられる吊りボルトの如き左前方吊下支持杆の他端が直接又は間接的に接続取付された状態で係合される構成であり、
バンド抱持部の右係止部の透孔には、前記取付面であって前記吊りボルトの吊下位置に対して配管軸方向の右後方位置に一端が固定されて斜めに吊下げられる吊りボルトの如き右後方吊下支持杆の他端が直接又は間接的に接続取付された状態で係合される構成であり、
この左前方吊下支持杆・右後方吊下支持杆による２点斜め吊下支持と、前記吊りボルトによる１点吊下支持と、によって合計３点吊下支持構成と成る第一サポート支持構成。
（２）第二サポート支持構成
バンド抱持部の左係止部の透孔には、前記取付面であって前記吊りボルトの吊下位置に対して配管軸方向の左後方位置に一端が固定されて斜めに吊下げられる吊りボルトの如き左後方吊下支持杆の他端が直接又は間接的に接続取付された状態で係合される構成であり、
バンド抱持部の右係止部の透孔には、前記取付面であって前記吊りボルトの吊下位置に対して配管軸方向の右前方位置に一端が固定されて斜めに吊下げられる吊りボルトの如き右前方吊下支持杆の他端が直接又は間接的に接続取付された状態で係合される構成であり、
この左後方吊下支持杆・右前方吊下支持杆による２点斜め吊下支持と、前記吊りボルトによる１点吊下支持と、によって合計３点吊下支持構成と成る第二サポート支持構成。
【請求項２】
前記バンド抱持部が、相対向する半円形状の２つのバンド抱持部が円形に組合うことによって配管を抱持可能であり、該２つのバンド抱持部の下端部分は組式又は蝶番式の如き接続部により拡開可能に接続された構成であることを特徴とする請求項１に記載の配管吊下支持具。
【請求項３】
前記バンド抱持具が一本の帯状バンド体を環状に彎曲することによって配管を抱持可能であり、この帯状バンド体の開放両端部に前記バンド端部が各々連設された構成であることを特徴とする請求項１に記載の配管吊下支持具。
【発明の詳細な説明】
【技術分野】
【０００１】
本発明は配管吊下支持具に関し、詳しくは天井スラブやトンネル天井等の取付面に、各種配管類を数ｍから数十ｍ以上に及ぶ長尺スパンで吊下支持する配管吊下支持具に関する。
【背景技術】
【０００２】
天井スラブやトンネル天井等の取付面に各種配管類を吊下支持するには、例えば、特許文献１〜３等に示すような、吊りボルトと配管バンドとから成る支持構成を一組とする同構成の吊下支持具、或いは、斜めに垂設した１本又は２本の吊下支持杆を更に付加した支持構成を一組とする同構成の吊下支持具を、数ｍないし数十ｍ間隔で複数個配設することにより行われている。
【０００３】
上記の吊下支持構成は、たとえ数百ｍないし数百ｍ以上に及ぶトンネル内配管等のように超長尺スパンにおける吊下支持であっても、前記したような同構成の配管支持具を多数個用いることにより行われている。
【先行技術文献】
【特許文献】
【０００４】
【特許文献１】特開２００４−１５０４５２号
【特許文献２】実用新案登録第２５２４３４０号
【特許文献３】登録実用新案第３１４８３６１号
【発明の概要】
【発明が解決しようとする課題】
【０００５】
同構成の配管支持具を長尺スパンにおいて複数個ないし多数個用いて吊下支持した場合、地震等の揺れが発生すると、配管軸方向の振動負荷と配管軸直交方向の振動負荷とが同時に生じることに加えて、捻れを含む軸線回り方向に傾動・揺動する負荷・モーメント・応力・歪等をも生じることになり、揺れを収束させることができないことが多いだけでなく、複数個ないし多数個の配管支持具に掛かる負荷・モーメント・応力・歪等が同調して増幅されてしまうこともあり、配管支持具に歪みや破損が生じ易く、耐震強度の点で問題が起き易いことが判った。
【０００６】
そこで本発明の課題は、トンネル天井への長尺スパンにおける配管吊下支持であっても地震時の防震性及び耐震性の高い配管吊下支持具を提供することにある。
【課題を解決するための手段】
【０００７】
上記課題を解決する本発明は下記構成を有する。
【０００８】
１．配管類を抱持するバンド抱持部と、該バンド抱持部の開放両端部に連設されたバンド端部とを有し、
天井スラブやトンネル天井等の取付面から吊り下げられる吊りボルトに、タンバックルの如き吊下接続部材を介して前記バンド端部を接続して、前記バンド抱持部に抱持した配管を前記取付面に吊下支持する配管吊下支持具であって、
配管すべき略全域に亘って前記取付面から複数本の吊りボルトが所定間隔毎に吊り下げられ、この複数本の吊りボルトの各々に、前記配管吊下支持具が個々に接続されることにより、配管の長尺スパンにおける配管の吊下支持が可能な配管吊下支持具において、
前記配管吊下支持具のバンド抱持部には、配管軸に直交するバンド抱持部の左右の側方部から横方向外側に各々延伸する左係止部・右係止部が設けられ、且つ、これらの左係止部・右係止部には透孔が各々形成された構成であり、
更に、前記配管吊下支持具は、下記構成の（１）第一サポート支持構成を有するものと、（２）第二サポート支持構成を有するものと、の２種類のサポート支持構成を有する配管吊下支持具を、配管軸方向において交互に吊下配設した構成とすることによって、この隣接する配管吊下支持具同士が平面視した際に配管軸方向において対称のサポート支持構成を有する構成であること、を特徴とする配管吊下支持具。
［２種類のサポート支持構成］
（１）第一サポート支持構成
バンド抱持部の左係止部の透孔には、前記取付面であって前記吊りボルトの吊下位置に対して配管軸方向の左前方位置に一端が固定されて斜めに吊下げられる吊りボルトの如き左前方吊下支持杆の他端が直接又は間接的に接続取付された状態で係合される構成であり、
バンド抱持部の右係止部の透孔には、前記取付面であって前記吊りボルトの吊下位置に対して配管軸方向の右後方位置に一端が固定されて斜めに吊下げられる吊りボルトの如き右後方吊下支持杆の他端が直接又は間接的に接続取付された状態で係合される構成であり、
この左前方吊下支持杆・右後方吊下支持杆による２点斜め吊下支持と、前記吊りボルトによる１点吊下支持と、によって合計３点吊下支持構成と成る第一サポート支持構成。
（２）第二サポート支持構成
バンド抱持部の左係止部の透孔には、前記取付面であって前記吊りボルトの吊下位置に対して配管軸方向の左後方位置に一端が固定されて斜めに吊下げられる吊りボルトの如き左後方吊下支持杆の他端が直接又は間接的に接続取付された状態で係合される構成であり、
バンド抱持部の右係止部の透孔には、前記取付面であって前記吊りボルトの吊下位置に対して配管軸方向の右前方位置に一端が固定されて斜めに吊下げられる吊りボルトの如き右前方吊下支持杆の他端が直接又は間接的に接続取付された状態で係合される構成であり、
この左後方吊下支持杆・右前方吊下支持杆による２点斜め吊下支持と、前記吊りボルトによる１点吊下支持と、によって合計３点吊下支持構成と成る第二サポート支持構成。
【０００９】
２．前記バンド抱持部が、相対向する半円形状の２つのバンド抱持部が円形に組合うことによって配管を抱持可能であり、該２つのバンド抱持部の下端部分は組式又は蝶番式の如き接続部により拡開可能に接続された構成であることを特徴とする上記１に記載の配管吊下支持具。
【００１０】
３．前記バンド抱持具が一本の帯状バンド体を環状に彎曲することによって配管を抱持可能であり、この帯状バンド体の開放両端部に前記バンド端部が各々連設された構成であることを特徴とする上記１に記載の配管吊下支持具。
【発明の効果】
【００１１】
請求項１に示す発明によれば、トンネル天井への長尺スパンにおける配管吊下支持であっても地震時の防震性及び耐震性の高い配管吊下支持具を提供することができる。
【００１２】
２種類のサポート支持構成を有する配管吊下支持具を配管軸方向において交互に用いて配管を吊下支持することによって、この２種類の配管吊下支持具が、隣接するもの同士で平面視した際に配管軸方向において対称のサポート支持構成となるので、配管軸方向の振動負荷と配管軸直交方向の振動負荷とが同時に生じることに加えて、捻れを含む軸線回り方向に傾動・揺動する負荷・モーメント・応力・歪等をも生じた場合であっても、様々な方向における揺れを対称構成の２種類のサポート構成が互いに打ち消す作用効果を発揮し、揺れを収束させることができる。従って、長尺スパンにおける配管吊下支持であっても、複数個ないし多数個の配管支持具に掛かる負荷・モーメント・応力・歪等が同調して増幅されてしまうことを抑制することができ、配管支持具に歪みや破損が生じ難いという効果を有している。また、地震時に震源地の違いによって地震波の入射方向が変わっても、様々な振動方向にも対処することができるという、２種類のサポート支持構成による相乗効果を有している。
【００１３】
特に、各々合計３点吊下支持構成である第一サポート支持構成・第二サポート支持構成との２種類のサポート支持構成によって様々な振動方向にも対処できる、というコスト面及び配管取付面の事情（背面取付面は、必ずしも支持杆を自由に取付け可能であるとは限らない。）を配慮した有意な効果を発揮する。
【００１４】
更に、左前方吊下支持杆６と左後方吊下支持杆７、及び右前方吊下支持杆８と右後方吊下支持杆９の取付面が比較的接近する位置にあるので、配管支持工事の能率性の点で有意な効果を発揮する。
【００１５】
以上の効果によって、配管支持具や吊りボルト等の配管支持構成のみならず、配管そのもの、配管の接続部分・継手部分の歪み・損傷・破損等を著しく抑制することができるので、一箇所の被災が全システムに影響を及ぼす水道管等に代表されるライフラインに特に有用である。
【００１６】
請求項２に示す発明によれば、一般的な組式の配管支持バンドを用いて製造することができるので容易に且つ低コストで提供することが可能である。
【００１７】
請求項３に示す発明によれば、一般的な提灯式の配管支持バンドを用いて製造することができるので容易に且つ低コストで提供することが可能である。
【図面の簡単な説明】
【００１８】
【図１】本発明に係る配管吊下支持具の使用状態の実施例を示す概略側面図（配管軸直交方向の側面から見た図）
【図２】図１の概略平面図（配管軸直交方向である上方から見た図（ＩＩ−ＩＩ線方向平面図））
【図３】図１の第一サポート支持構成の配管吊下支持具のみの概略正面図（配管軸方向から見た図）
【図４】図１の第二サポート支持構成の配管吊下支持具のみの概略正面図（配管軸方向から見た図）
【発明を実施するための形態】
【００１９】
次に、添付の図面に従って本発明を詳細に説明する。
【００２０】
本発明に係る配管吊下支持具は、天井スラブやトンネル天井等の取付面に、給水管、排水管、送風管等の各種配管類を数ｍから数十ｍに及び長尺スパン、或いは数百ｍ以上に及ぶ超長尺スパンで吊下支持するものであり、配管を抱持した配管バンドを取付面から垂設された釣りボルトと取付面から斜めに垂設した吊下支持杆とによって防振（防震）状態で多点吊下支持する支持構成を１組の吊下支持具とし、この吊下支持具を数ｍないし数十ｍ間隔で複数個配設する構成である。
【００２１】
固定支持する種々の配管としては、一般的な鋼管の他、鋼管に代わって近年多く用いられるようになった合成樹脂管（ポリエチレン管、架橋ポリエチレン管、ポリブデン管、塩化ビニル管、プロピレン管、ＡＢＳ管等）の固定支持にも有効である。
【００２２】
本発明の配管吊下支持具の具体的構成としては、図１〜図４に示すように、
配管類を抱持するバンド抱持部１１と、該バンド抱持部１１の開放両端部に連設されたバンド端部１３・１３とを有し、
天井スラブやトンネル天井等の取付面２から吊り下げられる吊りボルト３に、タンバックルの如き吊下接続部材３１を介して前記バンド端部１３・１３を接続して、前記バンド抱持部１１に抱持した配管Ｐを前記取付面２に吊下支持する配管吊下支持具１であって、
配管すべき略全域に亘って前記取付面２から複数本の吊りボルト３・３・３・・・が所定間隔毎に吊り下げられ、この複数本の吊りボルト３の各々に、前記配管吊下支持具１が個々に接続されることにより、配管Ｐの長尺スパンにおける吊下支持が可能なものであり、
前記配管吊下支持具１のバンド抱持部１１には、配管軸に直交するバンド抱持部１１の左右の側方部から横方向外側に各々延伸する左係止部１４・右係止部１５が設けられ、且つ、これらの左係止部１４・右係止部１５には透孔が各々形成された構成であり、
更に、前記配管吊下支持具１は、下記構成の（１）第一サポート支持構成Ａを有するものと、（２）第二サポート支持構成Ｂを有するものと、の２種類のサポート支持構成Ａ・Ｂを有する配管吊下支持具１を、配管軸方向において交互に吊下配設した構成とすることによって、この隣接する配管吊下支持具１・１同士が平面視した際に配管軸方向において対称のサポート支持構成を有する構成であることを主構成とするものである。
【００２３】
２種類のサポート支持構成Ａ・Ｂは下記構成を有する。
【００２４】
（１）第一サポート支持構成Ａ
バンド抱持部１１の左係止部１４の透孔には、前記取付面２であって前記吊りボルト３の吊下位置に対して配管軸方向の左前方位置に一端が固定されて斜めに吊下げられる吊りボルトの如き左前方吊下支持杆６の他端が直接又は間接的に接続取付された状態で係合される構成であり、
バンド抱持部１１の右係止部１５の透孔には、前記取付面２であって前記吊りボルト３の吊下位置に対して配管軸方向の右後方位置に一端が固定されて斜めに吊下げられる吊りボルトの如き右後方吊下支持杆９の他端が直接又は間接的に接続取付された状態で係合される構成であり、
この左前方吊下支持杆６・右後方吊下支持杆９による２点斜め吊下支持と、前記吊りボルト３による１点吊下支持と、によって合計３点吊下支持構成と成る第一サポート支持構成。
【００２５】
（２）第二サポート支持構成Ｂ
バンド抱持部１１の左係止部１４の透孔には、前記取付面２であって前記吊りボルト３の吊下位置に対して配管軸方向の左後方位置に一端が固定されて斜めに吊下げられる吊りボルトの如き左後方吊下支持杆７の他端が直接又は間接的に接続取付された状態で係合される構成であり、
バンド抱持部１１の右係止部１５の透孔には、前記取付面２であって前記吊りボルト３の吊下位置に対して配管軸方向の右前方位置に一端が固定されて斜めに吊下げられる吊りボルトの如き右前方吊下支持杆８の他端が直接又は間接的に接続取付された状態で係合される構成であり、
この左後方吊下支持杆７・右前方吊下支持杆８による２点斜め吊下支持と、前記吊りボルト３による１点吊下支持と、によって合計３点吊下支持構成と成る第二サポート支持構成。
【００２６】
尚、図１〜図４に示す本実施例において、左係止部１４の透孔への左前方吊下支持杆６・左後方吊下支持杆７の各一端の接続取付はナット６１・ナット７１の螺合によって行われ、右係止部１５の透孔への右前方吊下支持杆８・右後方吊下支持杆９の各一端の接続取付はナット８１・ナット９１の螺合によって行われる。
【００２７】
尚また、符号１６は吊下接続部材３１にバンド端部１３・１３を接続固定するためのボルト・ナットを示し、符号１２は２つのバンド抱持部１１・１１の下端部分を接続する組式又は蝶番式（本実施例では蝶番式）の如き接続部を示す。
【００２８】
以下、本発明の構成について更に詳説する。
【００２９】
本発明の配管吊下支持具１は、この種の配管吊下支持具に用いられる材料として公知公用のものを特別の制限なく用いることができ、好ましくはステンレスやその他の金属製である。
【００３０】
第一サポート構成Ａ・第二サポート構成Ｂの各々の配管吊下支持具１の左係止部１４・右係止部１５は、その形成に際しての基点位置が本実施例ではバンド抱持部１１の左右の側方部の略中央位置であるが、略中央位置より上方位置或いは下方位置であってもよく、この基点の位置を含めて左係止部１４・右係止部１５の延伸角度については、左係止部１４・右係止部１５に螺合係止される左前方吊下支持杆６・左後方吊下支持杆７・右前方吊下支持杆８・右後方吊下支持杆９の吊下げ角度等の諸条件によって適宜設定される。
【００３１】
左係止部１４・右係止部１５の形成構成としては、図１〜図４に示す本実施例では、バンド抱持部１１と同素材であって別体構成である板材をバンド抱持部１１の形成位置に溶接によって取り付けることによって、左係止部１４・右係止部１５が各々形成されている。
【００３２】
以上の構成を有する本発明の配管吊下支持具１は、その使用に際して図１及び図２に示すように、
図３に示す第一サポート支持構成Ａを有する配管吊下支持具１を、取付面２に一端が固定される吊りボルト３にタンバックルの如き吊下接続部材３１を介してバンド端部１３をボルト・ナット１６により固定することで前記取付面２に吊下支持し（第１点目の吊下支持）、前記取付面２に一端が固定され、斜め吊下げする公知公用の吊りボルトの如き左前方吊下支持杆６の他端を左係止部１４の透孔に挿通してナット６１によって螺合緊締することによって斜め吊下支持する（第２点目の斜め吊下支持）と共に、前記取付面２に一端が固定され、斜め吊下げする公知公用の吊りボルトの如き右後方吊下支持杆９の他端を右係止部１５の透孔に挿通してナット９１によって螺合緊締することによって斜め吊下支持する（第３点目の斜め吊下支持）ことにより、第一サポート支持構成Ａにおける合計３点吊下支持構成と成ると共に、
次に、図４に示す第二サポート支持構成Ｂの配管支持具１を、上記の第一サポート構成Ａを吊下支持する吊りボルト３の配管軸方向において隣接する吊りボルト３にタンバックルの如き吊下接続部材３１を介してバンド端部１３をボルト・ナット１６により固定することで前記取付面２に吊下支持し（第１点目の吊下支持）、前記取付面２に一端が固定され、斜め吊下げする公知公用の吊りボルトの如き左後方吊下支持杆７の他端を左係止部１４の透孔に挿通してナット７１によって螺合緊締することによって斜め吊下支持する（第２点目の斜め吊下支持）と共に、前記取付面２に一端が固定され、斜め吊下げする公知公用の吊りボルトの如き右前方吊下支持杆８の他端を右係止部１５の透孔に挿通してナット８１によって螺合緊締することによって斜め吊下支持する（第３点目の斜め吊下支持）ことにより、第二サポート支持構成Ｂにおける合計３点吊下支持構成と成り、
上記の第一サポート支持構成Ａと第二サポート支持構成Ｂとを、配管軸方向において繰り返して吊下配設した構成とする。かかる構成によって、この隣接する配管吊下支持具１・１同士が図２に示すように平面視した際に配管軸方向において対称のサポート支持構成を有する構成となる。
【００３３】
以上の構成、即ち、２種類のサポート支持構成Ａ・Ｂを有する配管吊下支持具１を配管軸方向において交互に用いて配管Ｐを吊下支持することによって、この２種類（Ａ・Ｂ）の配管吊下支持具１が、隣接するもの同士で平面視した際に配管軸方向において対称のサポート支持構成となるので、配管軸方向の振動負荷と配管軸直交方向の振動負荷とが同時に生じることに加えて、捻れを含む軸線回り方向に傾動・揺動する振動負荷をも生じた場合であっても、様々な方向における揺れを対称構成の２種類のサポート構成Ａ・Ｂが互いに打ち消す作用効果を発揮し、揺れを収束させることができる。従って、長尺スパンや超長尺スパンにおける配管吊下支持であっても、複数個ないし多数個の配管支持具１・１・１・・・に掛かる負荷が同調して増幅されてしまうことを抑制することができ、配管支持具１に歪みや破損が生じ難いという、本発明に係る特定の２種類のサポート支持構成による相乗効果を有している。
【００３４】
また、図１〜図４に示す上記実施例では、左係止部１４・右係止部１５はバンド抱持部１１の側方部に溶接により接続された構成であるが、本発明はかかる構成に限定されず、融着・接着・ネジ留めの如き固着手段により止着した構成とすることもできるし、或いはバンド抱持部の一部を切起すことにより形成した構成とすることもできる。
【００３５】
更に、図１〜図４に示す上記実施例では、配管吊下支持具１の本体が半円状の２本のバンド抱持部１１を下方の蝶番式の接続部１２で接続した構成であるが、この種の配管バンドとして公知公用の構成及び素材を有する種々仕様のものを特別の制限なく用いることができ。例えば、組式構成の接続部を有する配管バンドであってもよいし、１本の環状の帯状板材から形成された提灯式の配管バンドであってもよい。
【符号の説明】
【００３６】
１  配管吊下支持具
１１  バンド抱持部
１２  接続部
１３  バンド端部
１４  左係止部
１５  右係止部
１６  ボルト・ナット
２  取付面
３  吊りボルト
３１  吊下接続部材
６  左前方吊下支持杆
６１  ナット
７  左後方吊下支持杆
７１  ナット
８  右前方吊下支持杆
８１  ナット
９  右後方吊下支持杆
９１  ナット
Ｐ  配管
Ａ  第一サポート支持構成
Ｂ  第二サポート支持構成
【図１】
2019074147.tif 000003
【図２】
2019074147.tif 000004
【図３】
2019074147.tif 000005
【図４】
2019074147.tif 000006
【手続補正書】
【提出日】平成30年9月28日(2018.9.28)
【手続補正１】
【補正対象書類名】特許請求の範囲
【補正対象項目名】全文
【補正方法】変更
【補正の内容】
【特許請求の範囲】
【請求項１】
配管類を抱持するバンド抱持部と、該バンド抱持部の開放両端部に連設されたバンド端部とを有し、
天井スラブやトンネル天井等の取付面から吊り下げられる吊りボルトに、吊下接続部材を介して前記バンド端部を接続して、前記バンド抱持部に抱持した配管を前記取付面に吊下支持する複数の配管吊下支持具を具備する配管の吊下支持構造であって、
配管すべき略全域に亘って前記取付面から複数本の吊りボルトが所定間隔毎に吊り下げられ、この複数本の吊りボルトの各々に、前記配管吊下支持具が個々に接続されることにより、配管の長尺スパンにおける配管の吊下支持が可能な複数の配管吊下支持具を具備する配管の吊下支持構造において、
前記配管吊下支持具は、下記「配管の吊下支持構造における方向の定義」に基づいており、
該配管吊下支持具のバンド抱持部には、配管軸に直交するバンド抱持部の左右の側方部から横方向外側に各々延伸する左係止部・右係止部が設けられ、且つ、これらの左係止部・右係止部には透孔が各々形成された構成であり、
更に、前記配管吊下支持具は、下記構成の（１）第一サポート支持構成を有するものと、（２）第二サポート支持構成を有するものと、の２種類のサポート支持構成を有する配管吊下支持具を、配管軸方向において交互に吊下配設した構成とすることによって、この隣接する配管吊下支持具同士が平面視した際に配管軸方向において対称のサポート支持構成を有する構成であること、を特徴とする複数の配管吊下支持具を具備する配管の吊下支持構造。
［２種類のサポート支持構成］
（１）第一サポート支持構成
バンド抱持部の左係止部の透孔には、前記取付面であって前記吊りボルトの吊下位置に対して配管軸方向の左前方位置に一端が固定されて斜めに吊下げられる左前方吊下支持杆の他端が接続取付された状態で係合される構成であり、
バンド抱持部の右係止部の透孔には、前記取付面であって前記吊りボルトの吊下位置に対して配管軸方向の右後方位置に一端が固定されて斜めに吊下げられる右後方吊下支持杆の他端が接続取付された状態で係合される構成であり、
この左前方吊下支持杆・右後方吊下支持杆による２点斜め吊下支持と、前記吊りボルトによる１点吊下支持と、によって合計３点吊下支持構成と成る第一サポート支持構成。
（２）第二サポート支持構成
バンド抱持部の左係止部の透孔には、前記取付面であって前記吊りボルトの吊下位置に対して配管軸方向の左後方位置に一端が固定されて斜めに吊下げられる左後方吊下支持杆の他端が接続取付された状態で係合される構成であり、
バンド抱持部の右係止部の透孔には、前記取付面であって前記吊りボルトの吊下位置に対して配管軸方向の右前方位置に一端が固定されて斜めに吊下げられる右前方吊下支持杆の他端が接続取付された状態で係合される構成であり、
この左後方吊下支持杆・右前方吊下支持杆による２点斜め吊下支持と、前記吊りボルトによる１点吊下支持と、によって合計３点吊下支持構成と成る第二サポート支持構成。
［「配管の吊下支持構造における方向」の定義］
配管の吊下支持構造において複数の配管支持具に抱持支持される配管の一端側を正対視した際の該配管の一端を正面として、該配管の正面の左方向側を左とし、該配管の正面の右方向側を右とし、配管軸方向における手前側を前方とし、配管軸方向における奥側である配管の他端方向を後方とする。
【請求項２】
前記バンド抱持部が、相対向する半円形状の２つのバンド抱持部が円形に組合うことによって配管を抱持可能であり、該２つのバンド抱持部の下端部分は組式又は蝶番式の如き接続部により拡開可能に接続された構成であることを特徴とする請求項１に記載の複数の配管吊下支持具を具備する配管の吊下支持構造。
【請求項３】
前記バンド抱持具が一本の帯状バンド体を環状に彎曲することによって配管を抱持可能であり、この帯状バンド体の開放両端部に前記バンド端部が各々連設された構成であることを特徴とする請求項１に記載の複数の配管吊下支持具を具備する配管の吊下支持構造。
【手続補正３】
【補正対象書類名】明細書
【補正対象項目名】０００１
【補正方法】変更
【補正の内容】
【０００１】
本発明は複数の配管吊下支持具を具備する配管の吊下支持構造に関し、詳しくは天井スラブやトンネル天井等の取付面に、各種配管類を数ｍから数十ｍ以上に及ぶ長尺スパンで吊下支持する複数の配管吊下支持具を具備する配管の吊下支持構造に関する。
【手続補正４】
【補正対象書類名】明細書
【補正対象項目名】０００６
【補正方法】変更
【補正の内容】
【０００６】
そこで本発明の課題は、トンネル天井への長尺スパンにおける配管吊下支持であっても地震時の防震性及び耐震性の高い複数の配管吊下支持具を具備する配管の吊下支持構造を提供することにある。
【手続補正５】
【補正対象書類名】明細書
【補正対象項目名】０００８
【補正方法】変更
【補正の内容】
【０００８】
１．配管類を抱持するバンド抱持部と、該バンド抱持部の開放両端部に連設されたバンド端部とを有し、
天井スラブやトンネル天井等の取付面から吊り下げられる吊りボルトに、吊下接続部材を介して前記バンド端部を接続して、前記バンド抱持部に抱持した配管を前記取付面に吊下支持する複数の配管吊下支持具を具備する配管の吊下支持構造であって、
配管すべき略全域に亘って前記取付面から複数本の吊りボルトが所定間隔毎に吊り下げられ、この複数本の吊りボルトの各々に、前記配管吊下支持具が個々に接続されることにより、配管の長尺スパンにおける配管の吊下支持が可能な複数の配管吊下支持具を具備する配管の吊下支持構造において、
前記配管吊下支持具は、下記「配管の吊下支持構造における方向の定義」に基づいており、
該配管吊下支持具のバンド抱持部には、配管軸に直交するバンド抱持部の左右の側方部から横方向外側に各々延伸する左係止部・右係止部が設けられ、且つ、これらの左係止部・右係止部には透孔が各々形成された構成であり、
更に、前記配管吊下支持具は、下記構成の（１）第一サポート支持構成を有するものと、（２）第二サポート支持構成を有するものと、の２種類のサポート支持構成を有する配管吊下支持具を、配管軸方向において交互に吊下配設した構成とすることによって、この隣接する配管吊下支持具同士が平面視した際に配管軸方向において対称のサポート支持構成を有する構成であること、を特徴とする複数の配管吊下支持具を具備する配管の吊下支持構造。
［２種類のサポート支持構成］
（１）第一サポート支持構成
バンド抱持部の左係止部の透孔には、前記取付面であって前記吊りボルトの吊下位置に対して配管軸方向の左前方位置に一端が固定されて斜めに吊下げられる左前方吊下支持杆の他端が接続取付された状態で係合される構成であり、
バンド抱持部の右係止部の透孔には、前記取付面であって前記吊りボルトの吊下位置に対して配管軸方向の右後方位置に一端が固定されて斜めに吊下げられる右後方吊下支持杆の他端が接続取付された状態で係合される構成であり、
この左前方吊下支持杆・右後方吊下支持杆による２点斜め吊下支持と、前記吊りボルトによる１点吊下支持と、によって合計３点吊下支持構成と成る第一サポート支持構成。
（２）第二サポート支持構成
バンド抱持部の左係止部の透孔には、前記取付面であって前記吊りボルトの吊下位置に対して配管軸方向の左後方位置に一端が固定されて斜めに吊下げられる左後方吊下支持杆の他端が接続取付された状態で係合される構成であり、
バンド抱持部の右係止部の透孔には、前記取付面であって前記吊りボルトの吊下位置に対して配管軸方向の右前方位置に一端が固定されて斜めに吊下げられる右前方吊下支持杆の他端が接続取付された状態で係合される構成であり、
この左後方吊下支持杆・右前方吊下支持杆による２点斜め吊下支持と、前記吊りボルトによる１点吊下支持と、によって合計３点吊下支持構成と成る第二サポート支持構成。
［「配管の吊下支持構造における方向」の定義］
配管の吊下支持構造において複数の配管支持具に抱持支持される配管の一端側を正対視した際の該配管の一端を正面として、該配管の正面の左方向側を左とし、該配管の正面の右方向側を右とし、配管軸方向における手前側を前方とし、配管軸方向における奥側である配管の他端方向を後方とする。
【手続補正６】
【補正対象書類名】明細書
【補正対象項目名】０００９
【補正方法】変更
【補正の内容】
【０００９】
２．前記バンド抱持部が、相対向する半円形状の２つのバンド抱持部が円形に組合うことによって配管を抱持可能であり、該２つのバンド抱持部の下端部分は組式又は蝶番式の如き接続部により拡開可能に接続された構成であることを特徴とする上記１に記載の複数の配管吊下支持具を具備する配管の吊下支持構造。
【手続補正７】
【補正対象書類名】明細書
【補正対象項目名】００１０
【補正方法】変更
【補正の内容】
【００１０】
３．前記バンド抱持具が一本の帯状バンド体を環状に彎曲することによって配管を抱持可能であり、この帯状バンド体の開放両端部に前記バンド端部が各々連設された構成であることを特徴とする上記１に記載の複数の配管吊下支持具を具備する配管の吊下支持構造。
【手続補正８】
【補正対象書類名】明細書
【補正対象項目名】００１１
【補正方法】変更
【補正の内容】
【００１１】
請求項１に示す発明によれば、トンネル天井への長尺スパンにおける配管吊下支持であっても地震時の防震性及び耐震性の高い複数の配管吊下支持具を具備する配管の吊下支持構造を提供することができる。
【手続補正９】
【補正対象書類名】明細書
【補正対象項目名】００２２
【補正方法】変更
【補正の内容】
【００２２】
本発明の配管吊下支持具の具体的構成としては、図１〜図４に示すように、
配管類を抱持するバンド抱持部１１と、該バンド抱持部１１の開放両端部に連設されたバンド端部１３・１３とを有し、
天井スラブやトンネル天井等の取付面２から吊り下げられる吊りボルト３に、タンバックルの如き吊下接続部材３１を介して前記バンド端部１３・１３を接続して、前記バンド抱持部１１に抱持した配管Ｐを前記取付面２に吊下支持する配管吊下支持具１であって、  配管すべき略全域に亘って前記取付面２から複数本の吊りボルト３・３・３・・・が所定間隔毎に吊り下げられ、この複数本の吊りボルト３の各々に、前記配管吊下支持具１が個々に接続されることにより、配管Ｐの長尺スパンにおける吊下支持が可能なものであり、
前記配管吊下支持具１のバンド抱持部１１には、配管軸に直交するバンド抱持部１１の左右の側方部から横方向外側に各々延伸する左係止部１４・右係止部１５が設けられ、且つ、これらの左係止部１４・右係止部１５には透孔が各々形成された構成であり、
更に、前記配管吊下支持具１は、下記構成の（１）第一サポート支持構成Ａを有するものと、（２）第二サポート支持構成Ｂを有するものと、の２種類のサポート支持構成Ａ・Ｂを有する配管吊下支持具１を、配管軸方向において交互に吊下配設した構成とすることによって、この隣接する配管吊下支持具１・１同士が平面視した際に配管軸方向において対称のサポート支持構成を有する構成であることを主構成とするものである。
「配管の吊下支持構造における方向の定義」について付記すれば、図３及び図４に示すように、配管の吊下支持構造において複数の配管支持具に抱持支持される配管の一端側を正対視した際の該配管の一端を正面として、該配管の正面の左方向側を左とし、該配管の正面の右方向側を右とし、配管軸方向における手前側を前方とし、配管軸方向における奥側である配管の他端方向を後方とする。即ち、図１及び図２における右方向側が前方であり、左方向側が後方である。また、図２における上方側が左であり、下方側が右である。